(57)【要約】エンド・ユーザが移動デバイスからアクティブ化を開始してもよい、エンド・ユーザによる移動デバイスのアクティブ化を促進するための方法およびシステム。アクティブ化の前に、移動デバイスは、選択されたネットワーク・サービス・プロバイダに知られている恒久的識別子とともに構成される。非アクティブの移動デバイスは、最終的にサービス・プロバイダのシステムで受信されるアクセスを求める要求を送信する。要求は恒久的識別子を含む。サービス・プロバイダは移動デバイスを非アクティブのステータスを有するものとして認識する場合、恒久的識別子に基づき、システムのアクティブ化コンポーネント部分へのアクセスを移動デバイスに提供する。一旦移動デバイスがアクティブ化コンポーネントへのアクセスを有すると、移動デバイスのエンド・ユーザはアクティブ化コンポーネントにアクティブ化情報を提供することができるので、移動デバイスはアクティブ化され、システムへの高められたアクセスを有することができる。【特許請求の範囲】
【請求項１】
無線サービス・プロバイダ・システムにおいて、移動局が前記無線サービス・プロバイダ・システムの通信ネットワークへのより制限の少ないアクセスを有することができるように、前記移動局のアクティブ化を促進するための方法であって、
前記移動局から、前記無線サービス・プロバイダ・システムの前記通信ネットワークへのアクセスを求める要求を受信する工程であって、前記要求が、前記移動局の中の移動局加入者識別モジュール（ＳＩＭ）カードに恒久的に関連した国際的移動体加入者識別子（ＩＭＳＩ）に対応するコードを含む工程と、
前記国際的移動体加入者識別子（ＩＭＳＩ）に対応する前記コードが、前記無線サービス・プロバイダ・システムに関連したホーム・ロケーション・レジスタ（ＨＬＲ）の記録に記憶されたコードに対応するかどうかを判定する工程と、
前記国際的移動体加入者識別子（ＩＭＳＩ）に対応する前記コードが、前記ホーム・ロケーション・レジスタ（ＨＬＲ）の記録に記憶されたコードに対応する場合、前記無線サービス・プロバイダ・システムの前記通信ネットワークへの制限されたアクセスを前記移動局に提供する工程であって、前記無線サービス・プロバイダ・システムの前記ネットワークへの前記制限されたアクセスが、前記無線サービス・プロバイダ・システムのアクティブ化部分へのアクセスを含む工程と、
前記無線サービス・プロバイダ・システムの前記アクティブ化部分において、前記移動局からアクティブ化情報を受信する工程と、
受信されたアクティブ化情報に基づき、前記移動局が前記無線サービス・プロバイダ・システムの前記無線ネットワークへのより制限の少ないアクセスを有することを示すために、前記ホーム・ロケーション・レジスタ（ＨＬＲ）の前記記録を更新する工程とを備える方法。
【請求項２】
一時的国際的移動体加入者識別子（ＴＩＭＳＩ）を前記移動局に割り当てる工程であって、前記移動局が移動サービス・プロバイダのネットワークに引き続きアクセス可能である限り、前記無線サービス・プロバイダ・システムとの今後のやりとりにおいて、前記国際的移動体加入者識別子（ＩＭＳＩ）の代わりに一時的国際的移動体加入者識別子（ＴＩＭＳＩ）を送信する工程をさらに備える請求項１に記載の方法。
【請求項３】
前記移動局にアクティブ化情報を求める要求を送信する工程であって、アクティブ化情報に対する前記要求が前記移動局のユーザに示される工程をさらに備える請求項１に記載の方法。
【請求項４】
無線サービス・プロバイダ・システムにおいて、移動デバイスが前記無線サービス・プロバイダ・システムの通信ネットワークへの高められたアクセスを有することができるように、前記移動デバイスのアクティブ化を促進するための方法であって、
前記無線サービス・プロバイダ・システムの前記通信ネットワークへのアクセスを求める要求を受信する工程であって、前記要求が前記移動デバイスか、または前記移動デバイスの中のモジュールを識別する非一時的コードを含み、前記要求が一時的識別子を含まない工程と、
非一時的識別コードに基づき、前記移動デバイスが前記無線サービス・プロバイダ・システムによって認識されるかどうかと、前記移動デバイスが非アクティブのステータスを有するかどうかとを判定するために、１つまたは複数の記録を検索する工程と、
前記移動デバイスが前記無線サービス・プロバイダ・システムによって認識され、非アクティブのステータスを有する場合、前記移動デバイスに前記無線サービス・プロバイダ・システムの前記ネットワークへの制限されたアクセスを提供する工程であって、前記ネットワークへの前記制限されたアクセスが、デバイスのアクティブ化を訓練されていない前記移動デバイスのユーザによる前記移動デバイスの無線アクティブ化を促進する前記無線サービス・プロバイダ・システムの部分へのアクセスを含む工程とを備える方法。
【請求項５】
前記移動デバイスからアクティブ化情報を受信する工程と、
受信されたアクティブ化情報に基づき、前記移動デバイスのステータスを非アクティブからアクティブに更新する工程とをさらに備える請求項４に記載の方法。
【請求項６】
前記移動デバイスからアクティブ化情報を受信する工程と、
前記デバイスが前記ネットワークへの高められたアクセスを有することを許可されていることを示すために、１つまたは複数の記録のうちの少なくとも１つを更新することを含めて、前記受信されたアクティブ化情報に基づき、前記移動デバイスのステータスを非アクティブからアクティブに更新する工程とをさらに備える請求項４に記載の方法。
【請求項７】
前記非一時的識別コードは、前記移動デバイスと前記無線サービス・プロバイダ・システムとの両方を識別する請求項４に記載の方法。
【請求項８】
前記非一時的識別コードは、国際的移動体加入者識別子（ＩＭＳＩ）に対応する請求項４に記載の方法。
【請求項９】
恒久的識別子は、前記移動デバイスの中の加入者識別モジュール（ＳＩＭ）カードに関連する請求項４に記載の方法。
【請求項１０】
前記移動デバイスにアクティブ化情報を求める要求を送信する工程であって、アクティブ化情報を求める前記要求が前記移動デバイスのユーザに提示するためのものである工程と、
送信された要求に応じて、前記移動デバイスからアクティブ化情報を受信する工程と、
受信されたアクティブ化情報に基づき、前記移動デバイスのステータスを非アクティブからアクティブに更新する工程とをさらに備える請求項４に記載の方法。
【請求項１１】
前記移動デバイスからアクティブ化情報を受信する工程であって、前記アクティブ化情報が選択されたサービス・プランの表示を含む工程をさらに備える請求項４に記載の方法。
【請求項１２】
前記移動デバイスからアクティブ化情報を受信する工程であって、前記アクティブ化情報が支払い請求情報を含む工程をさらに備える請求項４に記載の方法。
【請求項１３】
前記通信ネットワークは、数百フィートの距離を介してデータを送受信するために高周波数無線信号を使用する少なくとも１つの無線ローカル・ネットワークを含み、無線デバイスは、少なくとも一部で前記無線ローカル・ネットワークを介して通信する請求項４に記載の方法。
【請求項１４】
前記通信ネットワークはＷｉ−Ｆｉネットワークを含み、前記無線デバイスは少なくとも一部で前記Ｗｉ−Ｆｉネットワークを介して通信し、前記移動デバイスのアクティブ化を促進する前記無線サービス・プロバイダ・システムの前記部分は、前記無線デバイスがアクティブ化ウェブ・サイトにアクセスすることを可能にするドメイン・コントローラを含む請求項４に記載の方法。
【請求項１５】
移動局において、通信ネットワークへの高められたアクセスを前記移動局が有するように、前記移動局をアクティブ化するための方法であって、
前記移動局か、または前記移動局の中のモジュールを識別するコードを含む恒久的識別子を送信する工程であって、前記移動局か、または前記移動局の中の前記モジュールを識別する前記コードが、アクティブ化の前に前記通信ネットワークの少なくとも１つのコンポーネントに知られている工程と、
送信に基づき、前記通信ネットワークのアクティブ化コンポーネントへのアクセスを取得する工程であって、前記アクティブ化コンポーネントが訓練されていない前記移動局のエンド・ユーザによる無線アクティブ化を促進する工程と、
前記アクティブ化コンポーネントからアクティブ化情報を求める要求を受信する工程と、
前記アクティブ化コンポーネントが前記移動局のステータスを非アクティブからアクティブに更新することができるように、アクティブ化情報を前記アクティブ化コンポーネントに送信する工程とを備える方法。
【請求項１６】
前記恒久的識別子は、前記移動局の中の加入者識別モジュール（ＳＩＭ）カードに関連する請求項１５に記載の方法。
【請求項１７】
前記恒久的識別子は、国際的移動体加入者識別子（ＩＭＳＩ）に関連する請求項１５に記載の方法。
【請求項１８】
アクティブ化情報を求める前記要求を前記移動局のディスプレイに表示する工程をさらに備える請求項１５に記載の方法。
【請求項１９】
通信デバイスが通信サービス・プロバイダ・システムに関連する１つまたは複数の通信ネットワークへの高められたレベルのアクセスを有することができるように、前記通信デバイスのアクティブ化を促進するために構成された通信サービス・プロバイダ・システムであって、
前記通信デバイスから、前記通信サービス・プロバイダ・システムの通信ネットワークへのアクセスを求める要求を受信するための手段であって、前記要求が前記通信デバイスか、または前記通信デバイスの中のモジュールを識別する非一時的コードを含み、前記要求が前記通信デバイスに関連する一時的識別子を含まない手段と、
前記通信デバイスが前記通信サービス・プロバイダ・システムによって認識されるかどうかと、前記通信デバイスが非アクティブのステータスを有するかどうかとを判定するために、１つまたは複数の記録を検索するための手段と、
前記通信デバイスに前記通信サービス・プロバイダ・システムの前記ネットワークへの制限されたアクセスを提供するための手段であって、前記通信ネットワークへの前記制限されたアクセスが、前記通信デバイスのアクティブ化を促進する前記通信サービス・プロバイダ・システムの部分へのアクセスを含む手段とを備えるシステム。
【請求項２０】
前記通信デバイスはパーソナル・コンピュータである請求項１９に記載のシステム。
【請求項２１】
前記通信デバイスはエンハンスト・データ・レート・フォー・グローバル・エボリューション（ＥＤＧＥ）・カードを含む請求項１９に記載のシステム。
【請求項２２】
前記通信デバイスは移動端局である請求項１９に記載のシステム。
【請求項２３】
前記通信デバイスは携帯電話である請求項１９に記載のシステム。
【請求項２４】
前記通信サービス・プロバイダ・システムはインターネット・サービスを提供する請求項１９に記載のシステム。
【請求項２５】
前記通信サービス・プロバイダ・システムはメディア・エンターテインメント・サービスを提供する請求項１９に記載のシステム。
【請求項２６】
アクティブ化されていない状態で顧客に提供されることができるように移動デバイスを構成するための方法であり、前記移動デバイスが無線サービス・プロバイダによって提供されるサービスへの高められたアクセスを有することができるように、後でエンド・ユーザによってアクティブ化されることができる方法であって
無線サービス・プロバイダから恒久的識別子コードを受信する工程と、
後で前記移動デバイスが、
前記無線サービス・プロバイダによってアクセス可能な局へ前記恒久的識別子コードを送信する工程と、
前記恒久的識別子コードの送信に基づき、前記無線サービス・プロバイダのアクティブ化コンポーネントへのアクセスを取得する工程と、
前記アクティブ化コンポーネントからアクティブ化情報を求める要求を受信する工程と、
前記アクティブ化コンポーネントが前記移動デバイスのステータスを非アクティブからアクティブに更新することができるように、前記アクティブ化コンポーネントにアクティブ化情報を送信する工程とを備える方法によってアクティブ化されてもよいように、前記移動デバイスに関連するメモリを、前記恒久的識別子コードを含むように構成する工程とを備える方法。
【請求項２７】
個人用基地局において、移動局が無線サービス・プロバイダ・システムのネットワークへのより制限の少ないアクセスを有することができるように、前記移動局のアクティブ化を促進するための方法であり、前記個人用基地局が、アクティブ化方法の訓練を受けていない前記移動デバイスのエンド・ユーザによって、少なくとも部分的に制御される方法であって、
前記移動局から、前記無線サービス・プロバイダ・システムの前記ネットワークへのアクセスを求める要求を受信する工程であって、前記要求が前記移動局か、または前記移動局の中のモジュールを識別する非一時的コードを含み、前記要求が一時的識別子を含まない工程と、
前記移動局に前記無線サービス・プロバイダ・システムのネットワークへの制限されたアクセスを提供する工程であって、前記移動局が、
前記無線サービス・プロバイダ・システムのアクティブ化コンポーネントからアクティブ化情報を求める要求を受信する工程と、
前記アクティブ化コンポーネントが前記移動局のステータスを非アクティブからアクティブに更新することができるように、アクティブ化情報を前記アクティブ化コンポーネントに送信する工程とを備える方法によって、アクティブ化を完了することができるように、前記ネットワークへの前記制限されたアクセスが、前記移動局のアクティブ化を促進する無線サービス・プロバイダ・システムの部分へのアクセスを含む工程とを備える方法。
【請求項２８】
提供される前記無線サービス・プロバイダ・システムの前記ネットワークへのアクセスは、マシン対マシン・アクセスを含む請求項２７に記載の方法。
【請求項２９】
前記提供される前記無線サービス・プロバイダ・システムの前記ネットワークへのアクセスは、ウェブ・ベースのアクセスを含む請求項２７に記載の方法。
【請求項３０】
前記提供される前記無線サービス・プロバイダ・システムの前記ネットワークへのアクセスは、チャット・ベースのアクセスを含む請求項２７に記載の方法。
【請求項３１】
移動デバイスが移動通信ネットワークへのアクセスを取得してもよいように、前記移動デバイスをアクティブ化するために訓練されていない前記移動デバイスのエンド・ユーザと通信するための手段と、
前記移動デバイスを使用して、前記訓練されていないエンド・ユーザが前記移動デバイスの無線アクティブ化のための情報を提供できるようにする命令を提供するための手段と、
前記移動通信ネットワークの顧客記録コンポーネントの中の記録の更新を促進するための手段であって、前記顧客記録コンポーネントの前記記録に記憶された情報が、デバイスがアクティブ化される前と後の両方で、前記移動通信ネットワークへのアクセスのレベルを判定する手段とを備える移動通信ネットワークのアクティブ化コンポーネント。
【発明の詳細な説明】
【背景技術】
【０００１】
携帯電話および携帯情報端末（ＰＤＡ）などの無線通信デバイスの製造業者は、典型的にはそうしたデバイスを「非アクティブ」の状態でパッケージして、卸売業者および小売業者に出荷し、つまり製造業者には、まさにパッケージからネットワーク接続能力が制限されている。一部の場合では、非アクティブの移動デバイスは周囲の無線ネットワークの様々なコンポーネントへのアクセスを要求するために、登録要求（または同様のもの）を行うことが可能であってもよい。しかしながら（９１１コールを除く）そうした要求は、デバイスが任意の特定のサービス・プロバイダのネットワークに「所属している」とまだ認識されていないことから、大抵は無効のままであることがよくある。例えば携帯電話の場合、携帯電話のユーザがデバイスを使用して緊急ではない電話をかけるか、または電話を受けてもよいのは、通常無線通信業者によって提供されるサービスに加入した後だけである。
【０００２】
移動デバイスをアクティブ化するプロセスで、デバイスのエンド・ユーザは典型的に個人情報、支払い請求情報およびサブスクリプション（ｓｕｂｓｃｒｉｐｔｉｏｎ）の選択物を（例えば小売店で、電話によって、またはウェブ・サイト経由でも）サービス代理業者に提供する。次いで、サービス代理業者（通常は訓練された技術者）はコードおよびその他の情報を選択された無線サービス・プロバイダのシステムに入力することによって、デバイスをアクティブ化する。これは、エンド・ユーザにとっても、サービス代理業者にとっても時間がかかり、複雑なプロセスとなる可能性がある。このようにして無線デバイスをアクティブ化するために必要とされる時間と専門技術とのせいで、アクティブ化は費用が高くつくプロセスとなる可能性があり、そのためより効率的な解決法が求められる。さらに、この種のアクティブ化は顧客を手間取らせることにもなり得る。この不便さはまた、新しいサービス・プロバイダまたはデバイスに変更するのを、たとえそうした変更が顧客にとって有益なものであっても顧客に思いとどまらせるかもしれない。その他にも問題点はある。
【特許文献１】米国特許第６，４９０，４４５号
【特許文献２】米国特許出願第１１／０９２，１９９号
【発明の開示】
【課題を解決するための手段】
【０００３】
移動デバイスのアクティブ化方式によって、訓練を受けていない非アクティブの移動デバイスのエンド・ユーザは、移動デバイス自体から移動デバイスをアクティブ化することができる。移動デバイスのアクティブ化は、サービス・プロバイダ・システム（例えばネットワーク・サービス・プロバイダ、無線通信業者等）に関連するアクティブ化コンポーネントと通信する移動デバイスを必要としてもよい。移動デバイスの製造業者は、選択されたサービス・プロバイダに予め関連している恒久的識別子（例えば国際的移動体加入識別子（ｉｎｔｅｒｎａｔｉｏｎａｌ  ｍｏｂｉｌｅ  ｓｕｂｓｃｒｉｂｅｒ  ｉｄｅｎｔｉｆｉｅｒ）（ＩＭＳＩ）か、またはその他何らかの非一時的識別コード）を用いて移動デバイスを構成する。
【０００４】
移動デバイスをアクティブ化する前に、サービス・プロバイダはこの識別子に関連する情報を適切なレジストリか、または記憶場所に（例えばサービス・プロバイダのホーム・ロケーション・レジスタにおけるデータ記録または顧客記録データベースの中に）記憶する。これによってサービス・プロバイダのネットワークは、デバイスが電源を入れられた後にネットワーク上で最初に登録を試みるときに、デバイスを認識することができる。代替としてサービス・プロバイダは、アクティブ化されていないデバイスの識別子についての個々の記録を記憶しないようにしてもよい。その代わりに、サービス・プロバイダはレジストリ中に情報のない識別子のために、デフォルトまたは推論された情報のセットを使用してもよい。一般に、サービス・プロバイダはデバイスのステータス（例えばアクティブ・ステータス対非アクティブ・ステータス）に関する情報もまた記憶してよい。
【０００５】
一部の実施形態において、上述のように構成された非アクティブのデバイスは、サービス・プロバイダのネットワークへの制限されたアクセスを有している。非アクティブのデバイスの移動デバイス識別子に関連する顧客記録またはデータ記録は、制限されたアクセスの程度を指定してもよい。例えば制限されたアクセスによって、デバイスのユーザはサービス・プロバイダ・ネットワークのアクティブ化ネットワークおよび／またアクティブ化コンポーネントにアクセスすることができるので、ユーザはアクティブ化の工程を実行するために移動デバイスを使用してもよい。アクティブ化工程は、サービス・プロバイダによって提供される利用可能なサービス・プログラムまたはサブスクリプションを選択することと、支払い請求情報を提供することとを含んでもよい。
【０００６】
アクティブ化ネットワークとやりとりするための許可を有することに加えて、非アクティブのデバイスはショート・メッセージ・サービス（ＳＭＳ）のメッセージの送受信等の許可も有しており、それによって様々な、できる限りのアクティブ化工程がさらに可能となる。デバイスが適切にアクティブ化されてもよいように、一旦ユーザが十分な情報を提供すると、ホーム・ロケーション・レジスタ（ＨＬＲ）またはネットワーク・ノードのデータまたは顧客記録は、そうした変更を反映するために更新されてもよい。このようにして、デバイスが次にサービス・プロバイダのネットワークに登録を試みるか、またはそれ以外にネットワークと通信しようとするときに、デバイスには無線ネットワークへのより高いレベルのアクセスが与えられる。
【０００７】
一部の実施形態において、無線サービス・プロバイダ・システムの１つまたは複数のノードは、アクティブ化の前にデバイスのステータスを追跡してもよい。次にデバイスはアクティブ化プロセスを開始するときに、その現在のステータスについての情報を要求してもよい。一部の実施形態において、移動デバイスのアクティブ化に関連するアプリケーションまたはプロセスは、アクティブ化ネットワークによって要求されるユーザ情報を得るためにユーザとやりとりすることを含めて、移動デバイスのアクティブ化を促進する中で、ステータス情報（および無線サービス・プロバイダ・システムから受信されるその他の情報）を使用してもよい。
【０００８】
アクティブ化方式は、無線遠距離通信ネットワーク（ＧＳＭ／ＧＰＲＳ、セルラー、ＰＳＴＮ、ＴＤＭＡ等）、ローカル・エリア・ネットワーク（ＬＡＮ）、ワイド・エリア・ネットワーク（ＷＡＮ）、Ｗｉ−Ｆｉネットワーク、インターネット、個人用の基地局構成を含む通信ネットワーク等を含む様々なネットワークの中か、またはネットワークの組合せの中で実施されてよい。アクティブ化されるサービスは、携帯電話サービス、インターネット・サービス、セット・トップ・ボックスのアクティブ化、オンデマンドまたはペイ・パー・ビュー方式のメディア・エンタテインメント・サービス等を含んでもよい。同様に、移動デバイスは携帯電話、ラップトップ・パーソナル・コンピュータ、Ｗｉ−Ｆｉトランシーバまたはカード、ＰＤＡ、ノートブック・コンピュータ、ＥＤＧＥ（エンハンスト・データ・レート・フォー・グローバル・エボリューション）（ｅｎｈａｎｃｅｄ  ｄａｔａ  ｒａｔｅｓ  ｆｏｒ  ｇｌｏｂａｌ  ｅｖｏｌｕｔｉｏｎ）カード、携帯可能なエンターテインメント・センター等を含む、ほとんどあらゆる種類のものであることが可能である。
【０００９】
ここで、本発明は様々な実施形態に関して説明される。以下の説明は、本発明のこれらの実施形態を完全に理解するため、およびそれらの説明を可能にするために、特定の細部を示す。しかしながら、本発明がこれらの細部をともなわずに実行されてもよいことは、当業者には理解されるであろう。本発明の実施形態の説明を不必要にあいまいにすることを避けるために、他の例の中で、よく知られている構造および機能は示される、または説明されることはない。
【００１０】
以下に示される説明の中で使用される用語は、たとえそれが本発明のある種の特定の実施形態の詳細な説明とともに使用されている場合であっても、最も広い、合理的な方法で解釈されることが意図されている。ある種の言葉は、以下で強調される場合さえあるが、任意の限定された方法で解釈されることが意図された任意の用語は、以下の詳細な説明の節の中にあるもののように、明白かつ具体的に定義される。
【００１１】
理解を容易にするため、および便宜のために、図中で同じ参照番号および同じ頭字語は同じであるか、または類似の機能を備える要素または行為を特定する。特定の要素または行為の解説を簡単に特定するために、参照番号中の最も大きい有効数字（ｓｉｇｎｉｆｉｃａｎｔ  ｄｉｇｉｔ）は、その要素が最初に示された図面番号を指す（例えば、要素３０４は図３に関して最初に示され、説明される）。
【発明を実施するための最良の形態】
【００１２】
システム構造
図１〜３および以下の考察は、本発明が実施されることが可能な適切なコンピューティング／ネットワーク環境の簡単な、概略の説明を示す。必要とされるわけではないが、本発明の態様は、例えばサーバ・コンピュータ、無線デバイスまたはパーソナル・コンピュータなどの汎用コンピュータによって実行されるルーチン等の、コンピュータ実行可能命令の一般的な状況の中で説明される。関連技術の当業者であれば、本発明がインターネット機器、ハンドヘルド・デバイス（ＰＤＡを含む）、装着型コンピュータ、セルラーまたは携帯電話のあらゆる方法、マルチ・プロセッサ・システム、マイクロプロセッサ・ベースかまたはプログラム可能な民生用電子機器、セット・トップ・ボックス、ネットワークＰＣ、ミニコンピュータ、メインフレーム・コンピュータ等を含むその他の通信、データ処理またはコンピュータ・システム構成を用いて実行されることが可能であることを理解されよう。実際に「コンピュータ」、「デバイス」および「コンポーネント」という言葉は一般に広く、同じ意味で使用されており、任意のデータ・プロセッサとともに、上述のデバイスおよびシステムのうちの任意のものを指す。
【００１３】
本発明の態様は、本明細書で詳細に説明されるコンピュータ実行可能命令のうちの１つまたは複数を実行するために特別にプログラムされ、構成され、組み立てられた特殊目的コンピュータまたはデータ・プロセッサにおいて具体化されることが可能である。本発明の態様はまた、タスクまたはモジュールがＬＡＮ、ＷＡＮまたはインターネットなどの通信ネットワークを通じてリンクされた遠隔の処理デバイスによって実行される分散型コンピューティング環境において実行されることも可能である。分散型コンピューティング環境において、プログラム・モジュールは局所と遠隔との両方のメモリ記憶デバイスに配置されてもよい。
【００１４】
本発明の態様は、磁気的または光学的読み取り可能コンピュータ・ディスク、チップ中にハードワイヤード化された（ｈａｒｄ−ｗｉｒｅｄ）か、または予めプログラムされたもの（例えばＥＥＰＲＯＭ半導体チップ）、ナノテクノロジー・メモリ、フォトニック・メモリ、生物ベースのメモリ、またはその他のデータ記憶メディアを含むコンピュータ読み取り可能メディアに記憶されるか、または分散されてもよい。実際に、本発明の態様の下のコンピュータ実施命令、データ構造、スクリーン・ディスプレイおよびその他のデータは、ある期間にわたり、伝搬媒体（例えば電磁波、音波等）上で伝搬される信号でインターネットか、または（無線ネットワークを含む）その他のネットワークを介して分散されてもよく、または（パケット交換、回線交換またはその他の方式の）任意のアナログまたはデジタルネットワーク上で提供されてもよい。関連技術の当業者であれば、本発明の一部がサーバ・コンピュータ上に存在する一方で、対応する部分が移動デバイスまたは携帯型デバイスなどのクライアント・コンピュータ上に存在しており、したがって本明細書ではある種のハードウェア・プラットフォームが説明されるが、本発明の態様はネットワーク上のノードにも同じように適用可能であることが認識されよう。
【００１５】
図１を参照すると、移動デバイスからの移動デバイスのアクティブ化が実施されてもよいシステム１００が示されている。図１のシステムは、ＧＳＭ（移動通信用グローバル・システム）に基づくＧＰＲＳ（汎用パケット無線サービス）システムの一例である。しかしながら、本発明は様々なセルラー・システムを含むその他の種類のシステム上で実施されてもよい。システム１００は、基地局１０４と通信する移動デバイス１０２（携帯電話、ＰＤＡ、無線ラップトップ等）を含む。サービングＧＰＲＳサポート・ノード（ＳＧＳＮ）１０８と通信する基地局コントローラ１０６と、ゲートウェイＧＰＲＳサポート・ノード（ＧＧＳＮ）１１０とは、移動交換センター（ＭＳＣ）１１１によって支援される回線交換のトラフィックとは別に扱われるパケット交換の処理をともに支援する。ＭＳＣ１１はまた、公衆交換電話網のためのアクセス・ポイントとしての役割も果たす。
【００１６】
ＳＧＳＮ１０８、ＧＧＳＮ１１０、ＭＳＣ１１１は、ホーム・ロケーション・レジスタ１１２（ＨＬＲ）とやりとりする。一部の実施形態で、ＨＬＲ１１２はサービス・プロバイダの移動ネットワークのための恒久的な加入者／顧客情報の主要なデータベースである。デバイスがアクティブ化されている状況において、ＨＬＲ１１２はアドレス情報、口座状態および選択物を含む、関連のユーザ情報を含んでもよい。一部の実施形態で、在圏（ｖｉｓｉｔｉｎｇ）ロケーション・レジスタ（ＶＬＲ）１１４は、ホーム・システムによって対処されるエリアの外にいるエリア外加入者からの要求を管理する。
【００１７】
デバイスが非アクティブである状況において、ＨＬＲ１１２は移動デバイスの恒久的識別子の記録と、デバイスがアクティブではないという表示とを含んでもよい。一部の実施形態で、非アクティブの移動デバイス、または例えばＳＩＭ（加入者アイデンティティ・モジュール）カードなどの非アクティブの移動デバイスの中のモジュールは、製造時にこの恒久的識別子とともに構成される。このようにして、アクティブ化されていないデバイスが電源を入れられた後に登録を試みるとき、システムがデバイスを認識し、それに適切なアクセス（例えばアクティブ化ネットワーク・アクセス、ＳＭＳ機能等）のレベルを与えるので、訓練を受けていないユーザは移動デバイスからアクティブ化を完了することができる。一旦デバイスがアクティブ化されると、ＨＬＲ１１２は、デバイスが有するネットワークへのアクセスの程度に関する情報を記憶し続けることができる。一部の実施形態において、アクティブ化されたデバイスのアクセスの程度は選択されるサービス・プランに基づく。
【００１８】
（アクティブ化の前の）非アクティブのデバイスに関連する恒久的識別コードのＨＬＲ１１２への書き込みを含む最初のデータの書き込みは、移動デバイスが製造される前か、後のいずれかで生じてもよい。例えば、製造業者は（各々が無線デバイスか、またはＳＩＭカードなどの無線デバイスの中のモジュールに対応している）恒久的識別コードのリストを無線サービス・プロバイダに送信してもよい。次いで、無線サービス・プロバイダはＨＬＲ１１２の記録にコードを書き込んでもよい。代替のシナリオにおいて、無線サービス・プロバイダは恒久的識別コード番号のリストを製造業者に提供して、製造業者がそれに従ってデバイスのバッチを構成できるようにしてもよい。一旦アクティブ化が起こると、ＨＬＲ１１２の最初の記録は、無線サービス・プロバイダのネットワーク、サービス、ノードおよびシステムへのより制限の少ないアクセスを可能にする、より完全なＨＬＲ記録に交換されるか、または更新されてもよい。
【００１９】
例示される実施形態において、システム１００はアクティブ化ネットワーク１１６、ＩＴネットワーク１１８および無線サービス・ネットワーク１２０を含めて、３つの別個のネットワーク・コンポーネントを含む。システム１００に関連してもよいその他のネットワークは、インターネット１２２および無線アプリケーション・プロトコル（ＷＡＰ）・ネットワーク１２４である。アクティブ化ネットワーク１１６は、１つまたは複数のアクティブ化プロセスを管理するアクティブ化サーバ１２６に関連してもよいので、エンド・ユーザは移動デバイス自体によって移動デバイス１０２をアクティブ化してもよい。アクティブ化ネットワーク１１６およびアクティブ化サーバ１２６の態様は、図３に関してより詳細に説明される。
【００２０】
一部の実施形態において、ＨＬＲ１１２は、デバイスがネットワーク・コンポーネントのうちのどれに接続できて、どれに接続できないのかを示す顧客記録を有する。例えば、移動デバイスが製造業者から出荷されるとき、一部の実施形態においてデバイスが接続することができる唯一のネットワーク・コンポーネントはアクティブ化ネットワーク１１６である。アクティブ化プロセスを通じて一旦ＨＬＲ１１２へのプロビジョニング（ｐｒｏｖｉｓｉｏｎｉｎｇ）があると、デバイスは無線サービス・ネットワーク１２０等のその他のネットワークへのアクセスを許されてもよい。
【００２１】
ＩＴネットワーク１１８は、ＨＬＲ１１２へのデータの書き込みを促進するプロビジョニング・サーバ１２８を含んでよい。ＩＴネットワーク１１８はまた、支払い請求機能１３０、および小売サービス機能１３２などのその他のサービスを扱ってもよい。アクティブ化サーバ１２６は、移動デバイス１０２のアクティブ化が完了されてもよいように、ＩＴネットワーク１１８の態様と通信してよい。例えばプロビジョニング・サーバ１２８は、エンド・ユーザが移動デバイス１０２をアクティブ化するための情報を提供した後で、ＨＬＲ１１２へのアクティブ化データの書き込みを促進してもよい。
【００２２】
システム１００は、顧客が自分の無線電話を固定のホーム・ベースのシステムに統合できるようにする１つまたは複数の随意の個人用基地局（ＰＢＳ）を含んでもよい。一部の実施形態において、ＰＢＳ１３４はユーザの自宅もしくは職場か、またはそれらの付近に配置されている。ＰＢＳ１３４は、ユーザが自宅または職場の中にいる場合には、移動デバイスを狭い範囲の移動デバイス（例えばコードレス電話）として効果的に扱う。移動デバイスがＰＢＳ１３４の範囲を離れる場合、そのときには基地局１０４などの通常の基地局を介して通信する。移動デバイスのアクティブ化がＰＢＳ構成を使用して実施される場合、ＰＢＳ１３４はアクティブ化サーバ１２６と直接やりとりするので、基地局およびＨＬＲの検索工程は回避されてもよい。アクティブ化サーバ１２６とＰＢＳ１３４との間の通信はマシン対マシン、ウェブ・ベースまたはチャット・ベースであることが可能である。
【００２３】
図２を参照すると、非アクティブのデバイスのアクティブ化はまた、例えば電気電子技術者協会（ＩＥＥＥ）による無線ＬＡＮのための８０２．１１ａ、８０２．１１ｂ、８０２．１１（ｇ）およびその他の規格に基づいて、Ｗｉ−Ｆｉネットワーク構成２００において実施されてもよい。Ｂｌｕｅｔｏｏｔｈ、超広帯域無線、ＺｉｇＢｅｅ等を含めて、数百フィートの距離を介してデータを送受信するために高周波数無線信号またはその他の手段を使用して無線ローカル・ネットワークを実施するその他の規格もまた使用されてよい。
【００２４】
例示される実施形態において、Ｗｉ−Ｆｉカード２０２または移動デバイス中の類似のコンポーネントは、有線のアクセス・ポイント２０４にリンクされた伝送アンテナから信号を送信することによって、アクセス・ポイント２０４と通信する。ドメイン・コントローラ２０６は、無線サービス・プロバイダの通信ネットワーク２１０およびアクティブ化コンポーネント２０８を含むユーザ、アカウント、グループ、コンピュータおよびその他のネットワーク資源を介してアクセス制御を提供するので、移動デバイスのユーザはデバイスを通してデバイスをアクティブ化することができる。例えば、アクティブ化コンポーネント２０８は、ユーザがアクティブ化情報を提供できるようにするウェブ・サイトまたはその他の機能へのアクセスを含んでよい。
【００２５】
図３を参照すると、（図１のアクティブ化サーバ１２６、および図２のアクティブ化コンポーネント２０８等の）アクティブ化コンポーネント３００は、移動デバイスのアクティブ化を促進する複数の機能を含んでもよい。例えば、アクティブ化コンポーネント３００はアカウント・セットアップ・アプリケーション３０２、およびアクティブ化ネットワーク１１６（またはドメイン・コントローラ２０６）からのアクセスを可能にするアクティブ化ネットワーク・インタフェース３０４を含んでもよい。ユーザ・ヘルプ・アプリケーション３０６はユーザによるアクティブ化の促進を助けるために、移動デバイスのユーザに命令を与える。ＩＴネットワーク・インタフェース３０８は、アクティブ化コンポーネント３００がＩＴネットワーク１１８と通信できるようにするので、例えばプロビジョニング・サーバ１２８は、ＨＬＲ１１２に書き込みをして、デバイスのステータスをアクティブに更新するように指示されることが可能である。
【００２６】
以下で別途説明されない限り、本発明の態様は従来のシステムを用いて実行されてもよい。したがって、図１〜３で示される様々なブロックの構造および動作は従来の構成のものであってもよく、そうしたブロックは関連技術の当業者には理解されると思われるので、本発明を作成し、使用するために本明細書でさらに詳細に説明される必要はない。関連技術の当業者であれば、本明細書で示される詳細な説明に基づいて、図１〜３（またはその他の実施形態もしくは図面）のブロックに必要な任意の変更を容易に行うことができる。
【００２７】
移動デバイスの識別
上述のように、一部の実施形態において、移動デバイスまたは移動デバイス中のモジュール（例えばＳＩＭカード）は恒久的な識別子で構成されているので、デバイスは、たとえまだアクティブ化されていない場合であっても、サービス・プロバイダ・ネットワークで認識されてもよい。一部の実施形態において、恒久的識別子はサービス・プロバイダによって提供されるネットワーク型に特有のものであってもよい。例えばＧＳＭ型のネットワークでは、識別子は国際的移動体加入者識別子（ＩＭＳＩ）か、または国内移動局識別子（ＮＭＳＩ）の形態の中にあってもよい。ＡＭＰＳ／ＴＤＭＡネットワークでは、識別子は移動体識別番号（ＭＩＮ）に関連していてもよい。本発明の範囲から逸脱することなく、多くの異なる型の移動体識別子が使用されてもよい。
【００２８】
無線電話の場合、従来は公衆交換電話網の状況で使用されていた電話番号またはデバイスのモバイル・ディレクトリ番号（ＭＤＮ）は、アクティブ化プロセスの中で役割を果たしても、果たさなくてもよい。一部の実施形態では、ＭＤＮはアクティブ化プロセスが起こるときにデバイスに知られることはない。したがってＨＬＲは、一旦アクティブ化されたデバイスに提供するためにＭＤＮを記憶してもよい。ＨＬＲはまた、デバイスのためのダミーＭＤＮまたはデフォルトＭＤＮを記憶してもよく、それらはプロビジョニングか、またはアクティブ化が起こるときに書き込まれても、書き込まれなくてもよい。アクティブ化サーバはまた、デバイスのためのＭＤＮを取得するために、外部のデータベースに依存してもよい。
【００２９】
ＭＤＮと同様に、デバイスのシリアル番号はアクティブ化プロセスの中で役割を果たしても、果たさなくてもよい。シリアル番号は、電子シリアル番号（ＥＳＮ）と呼ばれることもあり、上述の恒久的識別子からは区別される、別のものである。
【００３０】
図４に示される実施例を参照すると、コードの連続から構成される国際的移動体加入者識別子（ＩＭＳＩ）４００は、製造業者から出荷されるときにデバイスのＳＩＭカードの中に記憶されてもよく、またはその後移動デバイスに付け加えられてもよい。例示される実施形態において、ＩＭＳＩ４００は最高で１５桁を含み、３つの部分を含む。移動体国コード（ＭＣＣ）４０２は、国際的なアプリケーションのためにデバイスの製造国を識別するために使用される３つの数字から構成される。移動体ネットワーク・コード（ＭＮＣ）４０４は、加入者がアカウントを持っているネットワークおよびサービス・プロバイダを識別するために使用される２つから３つの数字から構成される。移動局識別番号（ＭＳＩＮ）４０６は、サービス・プロバイダ・ネットワークでデバイスを独自に識別するために使用される９つから１０の数字から構成される。
【００３１】
ＧＳＭシステムでは、非アクティブまたはアクティブの移動デバイスはスイッチを入れられ、利用可能な基地局を捜すときに、ＩＭＳＩを送信する。非アクティブまたはアクティブの移動デバイスは最も適切な基地局を選択し、（ＩＭＳＩのＭＮＣを通じて知られる）サービス・プロバイダのネットワークに登録するか、または所属するために、この基地局に（ＩＭＳＩを含む）メッセージを送信する。ネットワークはデバイスを非アクティブであると認識する場合、アクティブ化ネットワークへのアクセスを許可する。ネットワークはデバイスをアクティブであると認識する場合、ネットワークのさらなる部分へのアクセスを許可する。
【００３２】
一部の実施形態で、一旦移動デバイスがネットワークに所属すると、ネットワークは一時的ＩＭＳＩ（ＴＩＭＳＩ）を割り当て、デバイスが引き続きネットワークにアクセス可能なままである限り（例えば電源を切られていないか、または範囲外ではない場合等）、一時的なＩＭＳＩは今後のやりとりで加入者を識別するために使用される。このことは、ＩＭＳＩが空中で伝送される回数を減少させるので、制限されたセキュリティまたはプライバシーを与える。
システム・フロー
【００３３】
図５〜８は、一部の実施形態で使用される移動デバイスのアクティブ化プロセスを示す代表的なフロー図である。これらのフロー図は、すべての機能またはデータの交換を示すわけではないが、代わりにこれらの図はシステム下で交換されるコマンドまたはデータの理解を与える。関連技術の当業者であれば、一部の機能、またはコマンドおよびデータの交換は反復、変更、省略、または補足されてもよく、図示されていないその他の（あまり重要ではない）態様が容易に実施されてもよいことを認識されよう。
【００３４】
図５を参照すると、無線サービス・プロバイダは、プロセス・アクティブ化要求ルーチン５００を実行することによって、その通信ネットワークへのアクセスに対する非アクティブの移動デバイスの要求を処理する。ブロック５０１で、ルーチン５００は非アクティブのデバイスから、ネットワークへのアクセスを求める要求を受信する。例えば要求は、図１の基地局１０４などの基地局から伝えられる登録または所属要求であってもよい。要求は、ＩＭＳＩなどのデバイスのための恒久的識別子を含む。ブロック５０２で、ルーチン５００は恒久的識別子に基づいて検索を実行する。例えば、ルーチン５００は無線サービス・プロバイダのＨＬＲ中の記録を照合するために検索を実行してもよい。判定ブロック５０３で、合致する恒久的識別子がない場合、ルーチン５００は移動デバイスにエラー・メッセージを送信し（ブロック５０５）、その後終了する。しかしながら、判定ブロック５０３で合致する恒久的識別子がある場合、次いでブロック５０４でルーチン５００は無線サービス・プロバイダのアクティブ化コンポーネントへのアクセスを許可する。図１〜３に関して説明されたように、アクティブ化コンポーネントはアクティブ化ネットワークおよび／またはアクティブ化サーバを含んでもよい。図６に関してより詳細に説明されるように、無線サービス・プロバイダ・システムへのこの制限されたアクセスによって、デバイスのユーザはデバイスのアクティブ化を促進する情報を提供することができる。
【００３５】
図６を参照すると、無線サービス・プロバイダ・システムのアクティブ化部分またはコンポーネントは、訓練を受けていない移動デバイスのユーザが、移動デバイスから移動デバイスをアクティブ化することができるように、アクティブ化ルーチン６００を実行する。このアクティブ化ルーチン６００は、移動デバイスが現時点で無線サービス・プロバイダ・システムのアクティブ化部分またはコンポーネントへのアクセスを有していると仮定する。ブロック６０１で、ルーチン６００はアクティブ化情報を求める要求を移動デバイスに送信する。一部の実施形態で、アクティブ化情報を求める要求は、移動デバイスのディスプレイ上のテキストおよび／またはグラフィックスの中で表示されるサービス・プランまたはサブスクリプションの選択を求める要求を含んでよく、他の実施形態では、要求は音声でユーザに示されてもよい。例えば、ユーザは様々なバケット・プラン・オプションまたはサービス機能から選択することを要求されてもよい。アクティブ化情報を求める要求はまた、支払い請求情報および個人情報（例えば氏名およびアドレス、クレジット・カード番号、支払い請求先等）を求める要求を含んでもよい。様々な命令もまた、アクティブ化情報を求める要求に含められてよい。一部の実施形態では、非アクティブのデバイスはＳＭＳメッセージを送受信する許可を有していてもよいので、アクティブ化情報に対する命令および要求はＳＭＳメッセージの形態の中にあってもよい。
【００３６】
ブロック６０２で、ルーチン６００は移動デバイスのユーザによる入力として、要求された情報を受信する。一部の実施形態において、受信された情報はまたＳＭＳメッセージの形態で送信されてもよい。受信された情報に基づいて、さらなる情報が必要とされる場合、ルーチン６００はさらなる要求（不図示）を送信してもよい。ブロック６０３で、ルーチン６００は必要とされるアクティブ化情報のすべてが提供されたことを確認する。ブロック６０４で、ルーチン６００はデバイスがアクティブ化されたことを反映するためにＨＬＲを更新する。例えば、デバイスのステータスは「非アクティブ」から「アクティブ」に更新されてもよい。その後デバイスは、無線サービス・プロバイダのネットワークへのより制限の少ないアクセスを享受することができる。
【００３７】
図７を参照すると、非アクティブの移動デバイスはアクティブ化を要求するためのルーチン７００を実行する。ブロック７０１で、移動デバイスは電源を入れられると、無線サービス・プロバイダのネットワークへの所属を求める要求の中で、デバイスの恒久的識別子を含むメッセージを送信する。しかしながら一部の実施形態では、移動デバイスは他の行為（例えばユーザがボタンを押すこと等）が起こされるまで、メッセージを送信しなくてもよい。ブロック７０２で、非アクティブの移動デバイスは無線サービス・プロバイダのアクティブ化コンポーネントへのアクセスを取得する。ブロック７０３で、移動デバイスはアクティブ化情報を求める要求を受信する。デバイスは、（例えばディスプレイ・スクリーン上、スピーカを通す等で）この要求をデバイスのユーザに示す。ブロック７０４で、デバイスは入力されたアクティブ化情報をアクティブ化ネットワークに送信する。ブロック７０５で、デバイスはアクティブ化が完了されたというメッセージを受信する。
【００３８】
図８を参照すると、移動デバイスの製造業者は、デバイスをアクティブ化する訓練を受けていないユーザが移動デバイスから移動デバイスをアクティブ化してもよいように、移動デバイスを構成するためのプロセス８００を実行する。ブロック８０１で、製造業者は選択されたサービス・プロバイダによって知られることになるか、または知られている恒久的識別子コードを受信する。選択されたサービス・プロバイダは適切なＨＬＲか、またはその他のネットワーク・ノードで（例えばデータ記録または顧客記録の中で）、この識別子に関連する情報を記憶する。ブロック８０２で製造業者は、選択されたサービス・プロバイダのネットワークの少なくとも一部（例えばアクティブ化コンポーネント等）へのアクセスをデバイスが有することを可能にする恒久的識別子コードを含むように、移動デバイスを構成する。例えば、製造業者はデバイスのＳＩＭカードの中に識別子コードをプログラムしてもよい。ブロック８０３で、製造業者は非アクティブの構成されたデバイスを卸売業者または小売業者に出荷するので、デバイスはエンド・ユーザから購入されて、その後移動デバイスからアクティブ化されてもよい。
【００３９】
上のフロー・チャートで説明されたルーチンは特定の情報の型、供給源または宛先を説明してもよいが（例えばその情報が移動デバイスから来ることを示すこと等）、ルーチンの中で扱われる情報の型、供給源または宛先は、本発明の範囲から逸脱することなく多様であってもよい。さらに、上述の情報の供給源または宛先は（情報そのものと同様に）、組み合わせられ、変更されてもよく、または簡素化されてもよい。例えば、情報のある種の要素は、移動デバイスの代わりに（例えば図１の個人用基地局１３４等の）個人用基地局によって供給されてもよく、または情報のある種の要素はネットワーク中の別のコンポーネントによって直接与えられるのではなく、そこから推論されてもよい。
【００４０】
結論
文脈が明らかに他の解釈を必要としない限り、説明および特許請求の範囲の全体を通して「備える」、「備えている」等の言葉は、排他的意味とは反対の包括的意味または網羅的な意味で解釈されるべきものであり、すなわち「含んでいるが、限定されるわけではない」という意味で解釈されるべきものである。さらに、本出願で使用される際「本明細書で」、「上述の」、「以下の」という言葉および類似の重要な言葉は、本出願を全体的に参照すべきでものあり、本出願の任意の特定の箇所を参照すべきものではない。請求項が２つ以上の項目のリストを参照する中で「または」と言う言葉を使用する場合、その言葉は次の言葉の解釈のすべて、すなわちリスト中の項目の任意のもの、リスト中の項目のすべて、およびリスト中の項目の任意の組合せと言う解釈を包含する。
【００４１】
上述の本発明の実施形態の詳細な説明は網羅的であること、または先に開示された形態と寸分違わないものに本発明を限定することが意図されるわけではない。例示の目的で本発明の特定の実施形態および実施例が上で説明されているが、関連技術の当業者には認識されるように、本発明の範囲の中で様々な同等の変更形態が可能である。例えば、プロセスまたはブロックが所与の順序で示されているが、代替の実施形態は異なる順序で工程を有するルーチンを実行するか、またはブロックを有するシステムを利用してもよく、一部のプロセスまたはブロックは削除、移動、追加、再分割、結合および／または変更されてもよい。これらのプロセスまたはブロックのうちの各々は、様々な異なる方法で実施されてもよい。また、プロセスまたはブロックは時に連続して実行されるものとして示されているが、代わりにこれらのプロセスまたはブロックは並行して実行されるか、または異なる時間で実行されてもよい。文脈が許す場合であれば、この詳細な説明の中で単数形または複数形を使用する言葉は、それぞれ複数形または単数形も含んでよい。
【００４２】
本明細書で示される本発明の教示は、必ずしも本明細書で説明されるシステムでなくても、その他のシステムに適用されることが可能である。上述の様々な実施形態の要素および行為は、さらなる実施形態を提供するために組み合わせられることが可能である。
【００４３】
次の自己の特許および出願、すなわち２０００年7月１９日に出願した米国特許第６，４９０，４４５号「Ｃｕｓｔｏｍｅｒ  Ａｃｔｉｖａｔｉｏｎ  Ｓｙｓｔｅｍｓ  Ｆｏｒ  Ｃｅｌｌｕｌａｒ  Ｎｅｔｗｏｒｋ」と２００４年７月１５日に出願した米国特許出願第１１／０９２，１９９号「Ｃｕｓｔｏｍｅｒ  Ｓｅｒｖｉｃｅ  Ｍｅｓｓａｇｉｎｇ，Ｓｕｃｈ  ａｓ  ｏｎ  Ｍｏｂｉｌｅ  Ｄｅｖｉｃｅｓ」とは参照により本明細書に援用される。必要であれば、本発明の態様は、本発明のさらに別の実施形態を提供するために上で説明された様々な言及のシステム、機能および概念を利用するために変更されることが可能である。
【００４４】
上述の説明は本発明のある実施形態を詳細に述べ、考えられる最良の方式を説明しているが、上述の説明が本文中でどれだけ詳細に表されているかにかかわらず、本発明は様々な方法で実行されることが可能である。上述のように、本発明のある機能または態様を説明する場合に使用される特定の用語は、その用語が関連する本発明の任意の固有の特徴、機能または態様に限定されるように本明細書で再定義されていることを意味すると考えるべきではない。一般に、冒頭の特許請求の範囲で使用される言葉は、この詳細な説明の節でそうした言葉を明確に定義していない限り、本明細書の中で開示される固有の実施形態に本発明を限定するものと解釈されるべきではない。したがって、本発明の事実上の範囲は、開示された実施形態を包含するだけではなく、特許請求の範囲の下で本発明を実行または実施するためのすべての同等の方法もまた包含する。
【００４５】
冒頭で、ある請求項形式において本発明のある態様が示されているが、発明者はいかなる番号の請求項形式においても本発明の様々な態様を意図している。したがって、発明者は本出願を出願した後にさらなる請求項を追加し、本発明の別の態様のためのさらなる請求項形式を追及する権利を保有する。
【図面の簡単な説明】
【００４６】
【図１】１つの実施形態において、移動デバイスからの移動デバイスのアクティブ化が実施されてもよいシステムの一例を示すブロック図である。
【図２】１つの実施形態において、移動デバイスからの移動デバイスのアクティブ化が実施されてもよいＷｉ−Ｆｉシステムの一例を示すブロック図である。
【図３】図１のアクティブ化コンポーネントのより詳細な例を示すブロック図である。
【図４】例えば図１の移動デバイス、または図２のＷｉ−Ｆｉカード等のための識別コード化方式の一例を示すブロック図である。
【図５】移動デバイスからのアクティブ化要求を処理するための無線サービス・プロバイダ・システムにおけるルーチンの一例を示すフロー図である。
【図６】移動デバイスをアクティブ化するためのアクティブ化コンポーネントにおけるルーチンの一例を示すフロー図である。
【図７】アクティブ化を要求するための移動デバイスにおけるルーチンの一例を示すフロー図である。
【図８】訓練を受けていないユーザによって移動デバイスからアクティブ化されることが可能な移動デバイスを構成するためのプロセスの一例を示すフロー図である。
【図１】
2008510370.tif 000002
【図２】
2008510370.tif 000003
【図３】
2008510370.tif 000004
【図４】
2008510370.tif 000005
【図５】
2008510370.tif 000006
【図６】
2008510370.tif 000007
【図７】
2008510370.tif 000008
【図８】
2008510370.tif 000009